(57)【要約】【課題】プールの水位に基づいて、プールが設けられる領域への人の出入りを規制することを可能とするプール水利用システムを提供することである。【解決手段】プール水利用システム１００は、学校１０１に設けられる屋上プール８と、非常時において、屋上プール８に溜められているプール水を通常時に学校１０１内の設備に用いられている設備用水の代わりの水として利用するように切り替える切替部と、屋上プール８の水位を検出する水位検出器１１と、切替部を制御する制御盤１４と、を備え、制御盤１４は、屋上プール８の水位に基づいて、屋上部への人の出入りを規制する手段を有する。【選択図】図１
2012067465.tif 000002
【特許請求の範囲】
【請求項１】
建物に設けられるプールと、
非常時において、プールに溜められているプール水を通常時に建物内の設備に用いられている設備用水の代わりの水として利用するように切り替える切替部と、
プールの水位を検出する水位検出部と、
切替部を制御する制御部と、
を備え、
制御部は、
プールの水位に基づいて、プールが設けられる領域への人の出入りを規制する手段を有することを特徴とするプール水利用システム。
【請求項２】
請求項１に記載のプール水利用システムにおいて、
プールが設けられる領域に対して人が出入りするための出入口扉に設けられる錠部を備え、
制御部は、
プールの水位が所定の水位よりも大きいときは錠部を開錠し、
プールの水位が所定の水位よりも小さいときは錠部を施錠することを特徴とするプール水利用システム。
【請求項３】
請求項２に記載のプール水利用システムにおいて、
錠部の開施錠状態を表示するための開施錠状態表示部を備え、
制御部は、
錠部が開錠されている、あるいは、錠部が施錠されていることを開施錠状態表示部に表示することを特徴とするプール水利用システム。
【請求項４】
請求項１から請求項３のいずれか１に記載のプール水利用システムにおいて、
プールの水位状態を表示するためのプール水位状態表示部を備え、
制御部は、
プールの水位状態をプール水位状態表示部に表示することを特徴とするプール水利用システム。
【請求項５】
請求項１から請求項４のいずれか１に記載のプール水利用システムにおいて、
プールの利用可否状態を表示するためのプール利用可否状態表示部を備え、
制御部は、
プールの水位が所定の水位よりも大きいときはプールが利用可能であることをプール利用可否状態表示部に表示し、
プールの水位が所定の水位よりも小さいときはプールが利用不可能であることをプール利用可否状態表示部に表示することを特徴とするプール水利用システム。
【請求項６】
請求項２から請求項５のいずれか１に記載のプール水利用システムにおいて、
制御部は、
人の操作によって錠部の開錠制御あるいは施錠制御を行うための操作部を有していることを特徴とするプール水利用システム。
【請求項７】
請求項６に記載のプール水利用システムにおいて、
人の操作またはプールの水位のいずれかに基づいて、錠部の開施錠制御がなされているかを表示するための扉操作状態選択表示部を備え、
制御部は、
人の操作に基づいて錠部の開施錠制御がなされていることを扉操作状態選択表示部に表示し、あるいは、プールの水位に基づいて錠部の開施錠制御がなされていることを扉操作状態選択表示部に表示することを特徴とするプール水利用システム。
【請求項８】
請求項７に記載のプール水利用システムにおいて、
制御部は、
開施錠状態表示部とプール水位状態表示部とプール利用可否状態表示部と扉操作状態選択表示部のうち少なくとも１つを有していることを特徴とするプール水利用システム。
【請求項９】
請求項５から請求項８のいずれか１に記載のプール水利用システムにおいて、
開施錠状態表示部とプール利用可否状態表示部とのうち少なくとも１つが、プールが設けられる領域に対して人が出入りするための出入口扉の近傍に設けられていることを特徴とするプール水利用システム。
【発明の詳細な説明】
【技術分野】
【０００１】
本発明は、プール水利用システムに係り、特に、非常時において、建物に設けられるプールの水を利用するプール水利用システムに関する。
【背景技術】
【０００２】
小学校や中学校等といった学校等の施設は、地震等の災害発生時の一時的な避難場所として利用されることが多い。そして、学校等の施設には、遊泳のためのプールが設置されていることがあり、災害発生時に当該プールに溜められているプール水を利用することが種々考えられている。
【０００３】
本発明に関連する技術として、例えば、特許文献１には、災害発生時、各家庭の水道供給が止まった場合、学校などにあるプール水を利用し学校内の上水・下水を確保するシステムが開示されている。ここでは、学校内の水道供給システムの破損場所に対応しながら、プールの水にろ過機・浄水機を通した飲料水レベルの水の供給を確保し飲料水・水洗トイレ用水として使用することが述べられている。
【０００４】
また、本発明に関連する技術として、例えば、特許文献２には、非常時に水道供給ラインが破壊され断水した時、緊急避難所に水泳用プールが施設されている場合、そのプールに貯水されている水を緊急避難所の水洗トイレ洗浄水用生活用水として使用することが述べられている。
【先行技術文献】
【特許文献】
【０００５】
【特許文献１】登録実用新案第３０６５６８７号公報
【特許文献２】登録実用新案第３０４９５６３号公報
【発明の概要】
【発明が解決しようとする課題】
【０００６】
ところで、災害発生時にプール水を利用することが種々考えられているが、プール水を利用すると水位が低くなってしまうことがあり、プールが遊泳に適さない状態となる可能性もある。
【０００７】
本発明の目的は、プールの水位に基づいて、プールが設けられる領域への人の出入りを規制することを可能とするプール水利用システムを提供することである。
【課題を解決するための手段】
【０００８】
本発明に係るプール水利用システムは、建物に設けられるプールと、非常時において、プールに溜められているプール水を通常時に建物内の設備に用いられている設備用水の代わりの水として利用するように切り替える切替部と、プールの水位を検出する水位検出部と、切替部を制御する制御部と、を備え、制御部は、プールの水位に基づいて、プールが設けられる領域への人の出入りを規制する手段を有することを特徴とする。
【０００９】
また、本発明に係るプール水利用システムにおいて、プールが設けられる領域に対して人が出入りするための出入口扉に設けられる錠部を備え、制御部は、プールの水位が所定の水位よりも大きいときは錠部を開錠し、プールの水位が所定の水位よりも小さいときは錠部を施錠することが好ましい。
【００１０】
また、本発明に係るプール水利用システムにおいて、錠部の開施錠状態を表示するための開施錠状態表示部を備え、制御部は、錠部が開錠されている、あるいは、錠部が施錠されていることを開施錠状態表示部に表示することが好ましい。
【００１１】
また、本発明に係るプール水利用システムにおいて、プールの水位状態を表示するためのプール水位状態表示部を備え、制御部は、プールの水位状態をプール水位状態表示部に表示することが好ましい。
【００１２】
また、本発明に係るプール水利用システムにおいて、プールの利用可否状態を表示するためのプール利用可否状態表示部を備え、制御部は、プールの水位が所定の水位よりも大きいときはプールが利用可能であることをプール利用可否状態表示部に表示し、プールの水位が所定の水位よりも小さいときはプールが利用不可能であることをプール利用可否状態表示部に表示することが好ましい。
【００１３】
また、本発明に係るプール水利用システムにおいて、制御部は、人の操作によって錠部の開錠制御あるいは施錠制御を行うための操作部を有していることが好ましい。
【００１４】
また、本発明に係るプール水利用システムにおいて、人の操作またはプールの水位のいずれかに基づいて、錠部の開施錠制御がなされているかを表示するための扉操作状態選択表示部を備え、制御部は、人の操作に基づいて錠部の開施錠制御がなされていることを扉操作状態選択表示部に表示し、あるいは、プールの水位に基づいて錠部の開施錠制御がなされていることを扉操作状態選択表示部に表示することが好ましい。
【００１５】
また、本発明に係るプール水利用システムにおいて、制御部は、開施錠状態表示部とプール水位状態表示部とプール利用可否状態表示部と扉操作状態選択表示部のうち少なくとも１つを有していることが好ましい。
【００１６】
また、本発明に係るプール水利用システムにおいて、開施錠状態表示部とプール利用可否状態表示部とのうち少なくとも１つが、プールが設けられる領域に対して人が出入りするための出入口扉の近傍に設けられていることが好ましい。
【発明の効果】
【００１７】
上記構成のプール水利用システムによれば、プールの水位に基づき、必要な場合にプールが設けられる領域への人の出入りを規制することができる。
【図面の簡単な説明】
【００１８】
【図１】本発明に係る実施の形態において、プール水利用システムを示す図である。
【図２】本発明に係る実施の形態において、水位検出器の具体的な構成を示す図である。
【図３】本発明に係る実施の形態において、プール案内表示盤の具体的な構成を示す図である。
【図４】本発明に係る実施の形態において、制御盤の具体的な構成を示す図である。
【図５】本発明に係る実施の形態において、屋上プールのプール水の水位に応じて、屋上プールが設けられる領域への出入口を規制する手順を示すフローチャートである。
【図６】本発明に係る実施の形態において、プール水利用システムの変形例を示す図である。
【発明を実施するための形態】
【００１９】
以下に、本発明に係る実施の形態について添付図面を参照しながら詳細に説明する。また、以下では、全ての図面において同様の要素には同一の符号を付し、重複する説明を省略する。
【００２０】
図１は、プール水利用システム１００を示す図である。プール水利用システム１００は、水道本管１と、水道本管用バルブ２と、水道メータ３と、貯水槽４と、揚水ポンプ５と、高架水槽６と、屋内給水配管７と、屋上プール８と、プール用バルブ９と、トイレ用水代替用配管１０と、水位検出器１１と、屋上出入口扉１２と、プール案内表示盤１３と、制御盤１４とを含んで構成される。
【００２１】
水道本管１は、飲料水・トイレ用水等に必要な水を、学校１０１・家庭・企業等といった人々が生活等する場所に送るための配管である。図１には、水道本管１に流れる水が学校１０１の設備に用いられる設備用水として供給される様子が示されている。
【００２２】
水道本管用バルブ２は、制御盤１４によって開閉弁制御がなされる弁であり、開弁したときは水道本管１から学校１０１側に水が供給されることを許容し、閉弁したときは水道本管１から学校１０１側に水が供給されることを禁止する。
【００２３】
水道メータ３は、水道本管１から学校１０１に供給された水道量、換言すれば、学校１１０１での水の使用量を表示するためのメータである。
【００２４】
貯水槽４は、水道本管１から水道本管用バルブ２を介して供給された水を一旦貯水するためのタンクである。
【００２５】
揚水ポンプ５は、貯水槽４に溜められた水を汲み上げて学校１０１の屋上に設置された高架水槽６に供給するための電動式ポンプである。
【００２６】
高架水槽６は、学校１０１の屋上部に設置され、揚水ポンプ５によって汲み上げられた水を溜めるタンクである。図１に示される学校１０１は５階建ての建物であり、高架水槽６はその上の屋上部に設置されている。
【００２７】
屋内給水配管７は、高架水槽６に溜まった水を学校１０１内の各階に設置されたトイレ（不図示）に用いられるトイレ用水として供給するための配管である。高架水槽６から学校１０１内に向かって延伸する屋内給水配管７の各先端には、それぞれ各階のトイレに接続されている。
【００２８】
屋上プール８は、学校１０１の屋上部に設置される遊泳用のプールである。屋上プール８は、高架水槽６から供給された水を、通常時は、遊泳のためのプール水として溜めている。
【００２９】
プール用バルブ９は、制御盤１４によって開閉弁制御がなされる弁であり、開弁したときは屋上プール８からトイレ用水代替用配管１０に水が供給されることを許容し、閉弁したときは屋上プール８からトイレ用水代替用配管１０に水が供給されることを禁止する。
【００３０】
トイレ用水代替用配管１０は、災害発生時において、屋上プール８に溜められたプール水を学校１０１内の各階のトイレに、屋内給水配管７を介して供給されるトイレ用水の代わりの水を供給するための配管である。屋上プール８から学校１０１内に向かって延伸するトイレ用水代替用配管１０の各先端には、それぞれ各階のトイレに接続されている。
【００３１】
水位検出器１１は、屋上プール８に溜まったプール水の水位状態を検出するためのセンサ装置である。水位検出器１１によって検出された屋上プール８の水位情報は、制御盤１４に伝送される。図２は、水位検出器１１の具体的な構成を示す図である。図２に示されるように、水位検出器１１は、渇水水位センサ３２と、遊泳下限水位センサ３３と、遊泳上限水位センサ３４とを含んで構成される。
【００３２】
渇水水位センサ３２は、屋上プール８のプール水が渇水状態にあるか否かを判断するための水位を検出するセンサである。ここで、渇水水位センサ３２により、図２に示される矩形の範囲Ａ内に屋上プール８のプール水の水面３１が位置していると検出される場合には、制御盤１４によって屋上プール８のプール水が渇水状態でない判断される。そして、渇水水位センサ３２により、図２に示される矩形の範囲Ａの下限３２０よりも屋上プール８のプール水面３１が下回っていると検出される場合には、制御盤１４によって屋上プール８のプール水が渇水状態であると判断される。
【００３３】
遊泳下限水位センサ３３は、屋上プール８のプール水の水量が遊泳可能な水量であるか否かを判断するための水位を検出するセンサである。ここで、遊泳下限水位センサ３３により、図２に示される矩形の範囲Ｂ内に屋上プール８のプール水の水面３１が位置していると検出される場合には、制御盤１４によって屋上プール８が遊泳可能であると判断される。そして、遊泳下限水位センサ３３により、図２に示される矩形の範囲Ｂの下限３３０（遊泳可否を判断するための基準水位）よりも屋上プール８のプール水の水面３１が下回っていると検出される場合には、制御盤１４によって屋上プール８が遊泳不可能である判断される。
【００３４】
遊泳上限水位センサ３４は、屋上プール８への給水を停止するか否かを判断するための水位を検出するセンサである。ここで、遊泳上限水位センサ３４により、図２に示される矩形の範囲Ｃ内に屋上プール８のプール水の水面３１が位置していると検出される場合には、制御盤１４によって屋上プール８への給水を停止する必要があると判断とされる。そして、遊泳上限水位センサ３４により、図２に示される矩形の範囲Ｃの下限３４０よりも屋上プール８のプール水の水面３１が下回っていると検出される場合には、制御盤１４によって屋上プール８への給水が必要と判断される。
【００３５】
再び図１に戻って、屋上出入口扉１２は、学校１０１内から屋上プール８が設置される屋上部へ人が出入りするための出入口扉である。屋上出入口扉１２には、制御盤１４によって開施錠制御がなされる錠部１２０を備えている。
【００３６】
プール案内表示盤１３は、屋上プール８の利用可否状態や屋上出入口扉１２の錠部１２０の開施錠状態を表示するための表示装置である。図３は、プール案内表示盤１３の具体的な構成を示す図である。プール案内表示盤１３は、屋上出入口扉１２の近傍に配置されている。プール案内表示盤１３は、プール利用可能表示部４１と、プール利用不可能表示部４２と、屋上扉開錠表示部４３と、屋上扉施錠表示部４４、インターホン４５とを含んで構成される。ここで、プール利用可能表示部４１とプール利用不可能表示部４２とを併せてプール利用可否状態表示部と呼び、屋上扉開錠表示部４３と屋上扉施錠表示部４４とを併せて開施錠状態表示部と呼ぶ。
【００３７】
プール利用可能表示部４１は、制御盤１４からの信号によって、屋上プール８が利用可能な状態であることを表示するための表示部である。
【００３８】
プール利用不可能表示部４２は、制御盤１４からの信号によって、屋上プール８が利用不可能な状態であることを表示するための表示部である。
【００３９】
屋上扉開錠表示部４３は、制御盤１４からの信号によって、屋上出入口扉１２の錠部１２０が開錠されている状態であることを表示するための表示部である。
【００４０】
屋上扉施錠表示部４４は、制御盤１４からの信号によって、屋上出入口扉１２の錠部１２０が施錠されている状態であることを表示するための表示部である。
【００４１】
インターホン４５は、制御盤１４のインターホン６５との間で通話を可能とするための通信部である。
【００４２】
再び図１に戻って、制御盤１４は、プール水利用システム１００の全体を制御する機能を有する制御装置であるが、プール案内表示盤１３と同様に、屋上プール８の利用可否状態や屋上出入口扉１２の錠部１２０の開施錠状態を表示する等といった表示装置としても機能している。図４は、制御盤１４の具体的な構成を示す図である。制御盤１４は、屋上プール８が設置される屋上部から離れた場所、例えば、図１に示されるように、学校１０１の１階の管理室等に設置されている。制御盤１４は、プール利用可能表示部６１と、プール利用不可能表示部６２と、屋上扉開錠表示部６３と、屋上扉施錠表示部６４と、インターホン６５と、遊泳上限水位異常表示部５１と、遊泳下限水位異常表示部５２と、渇水水位表示部５３と、強制施錠表示部５４と、強制開錠表示部５５と、自動開施錠表示部５６と、開施錠操作部５７と、バッテリ５８と、水道本管用バルブ開閉処理部１４２と、揚水ポンプ作動処理部１４４と、プール用バルブ開閉処理部１４６と、開施錠処理部１４８と、表示処理部１４９とを含んで構成される。ここで、プール利用可能表示部６１とプール利用不可能表示部６２とを併せてプール利用可否状態表示部と呼び、屋上扉開錠表示部６３と屋上扉施錠表示部６４とを併せて開施錠状態表示部と呼ぶ。そして、遊泳上限水位異常表示部５１と遊泳下限水位異常表示部５２と渇水水位表示部５３とを併せてプール水位状態表示部と呼び、強制施錠表示部５４と強制開錠表示部５５と自動開施錠表示部５６とを併せて扉操作状態選択表示部と呼ぶ。
【００４３】
プール利用可能表示部６１は、屋上プール８が利用可能な状態であることを表示するための表示部である。
【００４４】
プール利用不可能表示部６２は、屋上プール８が利用不可能な状態であることを表示するための表示部である。
【００４５】
屋上扉開錠表示部６３は、屋上出入口扉１２の錠部１２０が開錠されている状態であることを表示するための表示部である。
【００４６】
屋上扉施錠表示部６４は、屋上出入口扉１２の錠部１２０が施錠されている状態であることを表示するための表示部である。
【００４７】
インターホン６５は、プール案内表示盤１３のインターホン４５との間で通話を可能とするための通信部である。
【００４８】
遊泳上限水位異常表示部５１は、屋上プール８のプール水の水位が必要以上に高い水位であることを表示するための表示部である。
【００４９】
遊泳下限水位異常表示部５２は、屋上プール８のプール水の水位が少なく遊泳に適さない状況であることを表示するための表示部である。
【００５０】
渇水水位表示部５３は、屋上プール８のプール水が渇水状態であることを表示するための表示部である。
【００５１】
強制施錠表示部５４は、開施錠操作部５７の操作によって、屋上出入口扉１２の錠部１２０が強制施錠されていることを表示するための表示部である。
【００５２】
強制開錠表示部５５は、開施錠操作部５７の操作によって、屋上出入口扉１２の錠部１２０が強制開錠されていることを表示するための表示部である。
【００５３】
自動開施錠表示部５６は、開施錠操作部５７の操作によって、屋上出入口扉１２の錠部１２０が、屋上プール８のプール水の水位に基づいて自動的に開施錠されていることを表示するための表示部である。
【００５４】
開施錠操作部５７は、屋上出入口扉１２の錠部１２０を強制的に施錠するか、屋上出入口扉１２の錠部１２０を強制的に開錠するか、屋上出入口扉１２の錠部１２０が、屋上プール８のプール水の水位に基づいて自動的に開施錠させるかを選択するためのスイッチ回路である。
【００５５】
バッテリ５８は、プール水利用システム１００を構成する機器の停電補償用のバッテリである。
【００５６】
水道本管用バルブ開閉処理部１４２は、通常時（地震等の災害発生時でないとき）に水道本管用バルブ２を開弁し、地震等の災害発生時、換言すれば、非常時に水道本管用バルブ２を閉弁する機能を有する。また、水道本管用バルブ開閉処理部１４２は、水位検出器１１から屋上プール８の水位情報を取得して、屋上プール８のプール水の水面３１が矩形の範囲Ｃ内に位置するときは、屋上プール８の水位が十分高いため通常時であっても水道本管用バルブ２を閉弁する。なお、水道本管用バルブ開閉処理部１４２は、非常時であることを示す外部からの信号を取得する機能を有し、当該外部からの信号がないときは通常時であると判断し、当該外部からの信号があるときは非常時であると判断する。
【００５７】
揚水ポンプ作動処理部１４４は、通常時に揚水ポンプ５を作動させ、非常時に揚水ポンプ５を停止する機能を有する。また、揚水ポンプ作動処理部１４４は、水位検出器１１から屋上プール８の水位情報を取得して、屋上プール８のプール水の水面３１が矩形の範囲Ｃ内に位置するときは、屋上プール８の水位が十分高いため通常時であっても揚水ポンプ５を停止する。なお、水道本管用バルブ開閉処理部１４２は、非常時であることを示す外部からの信号を取得する機能を有し、当該外部からの信号がないときは通常時であると判断し、当該外部からの信号があるときは非常時であると判断する。
【００５８】
プール用バルブ開閉処理部１４６は、通常時にプール用バルブ９を閉弁し、非常時にプール用バルブ９を開弁する機能を有する。なお、水道本管用バルブ開閉処理部１４２は、非常時であることを示す外部からの信号を取得する機能を有し、当該外部からの信号がないときは通常時であると判断し、当該外部からの信号があるときは非常時であると判断する。
【００５９】
開施錠処理部１４８は、開施錠操作部５７によって屋上出入口扉１２の錠部１２０を強制的に施錠するように選択されている場合には、屋上出入口扉１２の錠部１２０を強制的に施錠する。また、開施錠処理部１４８は、開施錠操作部５７によって屋上出入口扉１２の錠部１２０を強制的に開錠するように選択されている場合には、屋上出入口扉１２の錠部１２０を強制的に開錠する。さらに、開施錠処理部１４８は、屋上出入口扉１２の錠部１２０が屋上プール８のプール水の水位に基づいて自動的に開施錠するように選択されているときは、水位検出器１１から屋上プール８の水位情報を取得し、遊泳下限水位センサ３３により矩形の範囲Ｂ内に屋上プール８の水面３１が位置していることが検出されたときは屋上出入口扉１２の錠部１２０を開錠し、矩形の範囲Ｂの下限３３０よりも屋上プール８のプール水面３１が下回っていることが検出されたときは屋上出入口扉１２の錠部１２０を施錠する。
【００６０】
表示処理部１４９は、開施錠処理部１４８による屋上出入口扉１２の錠部１２０の開施錠状態を、プール案内表示盤１３の屋上扉開錠表示部４３、屋上扉施錠表示部４４と、制御盤１４の屋上扉開錠表示部６３、屋上扉施錠表示部６４に表示させる機能を有する。また、表示処理部１４９は、水位検出器１１から屋上プール８の水位情報を取得し、屋上プール８の利用可否状態を、プール案内表示盤１３のプール利用可能表示部４１、プール利用不可能表示部４２と、制御盤１４のプール利用可能表示部６１、プール利用不可能表示部６２とに表示させる機能を有する。さらに、表示処理部１４９は、水位検出器１１から屋上プール８の水位情報を取得して、屋上プール８の水位状態を、制御盤１４の遊泳上限水位異常表示部５１、遊泳下限水位異常表示部５２、渇水水位表示部５３に表示させる機能を有する。そして、表示処理部１４９は、開施錠操作部５７によって、屋上出入口扉１２の錠部１２０が強制的に施錠されている状態、屋上出入口扉１２の錠部１２０が強制的に開錠されている状態、屋上出入口扉１２の錠部１２０が屋上プール８の水位に基づいて自動的に開施錠されている状態のうちいずれ状態が選択されているかを、制御盤１４の強制施錠表示部５４と強制開錠表示部５５と自動開施錠表示部５６に表示させる機能を有する。
【００６１】
続いて、上記構成のプール水利用システム１００の動作について、図１〜図５を用いて説明する。図５は、屋上プール８のプール水の水位に応じて、屋上プール８が設けられる領域である屋上部への出入口を規制する手順を示すフローチャートである。ここでは、制御盤１４の開施錠操作部５７により屋上出入口扉１２の錠部１２０が屋上プール８のプール水の水位に基づいて自動的に開施錠されるように選択されているものとして説明する。まず、最初に、地震等の災害が発生しているか否かを判断する、換言すれば、非常時であるか否かを判断する（Ｓ１０）。Ｓ１０の工程は、制御盤１４の水道本管用バルブ開閉処理部１４２、揚水ポンプ作動処理部１４４、プール用バルブ開閉処理部１４６の工程によって実行される。Ｓ１０の工程において、非常時でないと判断される、換言すれば、通常時のままであると判断されれば、再びＳ１０へと戻る。
【００６２】
Ｓ１０の工程において、非常時であると判断されれば、災害発生時の対応処理が行われ、具体的には水道本管用バルブ２を閉弁し、揚水ポンプ５を停止し、プール用バルブ９を開弁する（Ｓ１２）。Ｓ１２の工程は、制御盤１４の水道本管用バルブ開閉処理部１４２、揚水ポンプ作動処理部１４４、プール用バルブ開閉処理部１４６の機能によって実行される。
【００６３】
次に、屋上プール８のプール水の水面３１が図２に示される矩形の範囲Ｂの下限３３０を下回ったか否か、換言すれば、屋上プール８が利用できない状態となっているか否かを判断する（Ｓ１４）。Ｓ１４の工程は、制御盤１４の開施錠処理部１４８の機能によって実行される。Ｓ１４の工程において、屋上プール８のプール水の水面３１が矩形の範囲Ｂ内に位置しており、屋上プール８が利用できる状態であると判断したときは再びＳ１４へと戻る。
【００６４】
Ｓ１４の工程において、屋上プール８のプール水の水面３１が矩形の範囲Ｂの下限３３０を下回り、屋上プール８が利用できない状態と判断されたときは、屋上出入口扉１２の錠部１２０を施錠する（Ｓ１６）。Ｓ１６の工程は、制御盤１４の開施錠処理部１４８の機能によって実行される。Ｓ１６の工程の後はＥＮＤ処理へと進む。
【００６５】
上記のように、プール水利用システム１００によれば、地震等の災害発生時（非常時）に、水道本管１から学校１０１に供給されるトイレ用水の代わりに、屋上プール８のプール水をトイレ用水として利用することができる。これにより、非常時に学校１０１が緊急避難場所として指定され多くの人が集まってきたときに、仮に、水道本管１から学校１０１への水の供給が途絶えた場合であってもトイレを好適に使用することができる。また、プール水利用システム１００によれば、非常時に屋上プール８のプール水をトイレ用水として利用したときに、プール水の水面３１が下がって屋上プール８が遊泳できない状態となったときは屋上出入口扉１２の錠部１２０が施錠される。これにより、屋上プール８が遊泳できない状態となっているときに、人が学校１０１の屋上部に出入りすることを規制することができ、より安全に屋上プール８を非常時のトイレ用水として利用することができる。
【００６６】
また、プール水利用システム１００によれば、屋上プール８の利用可否状態や屋上出入口扉１２の錠部１２０の開施錠状態をプール案内表示盤１３によって表示することができるため、屋上プール８を利用しようとする人に対して、それらの状況を好適に伝達することができる。
【００６７】
さらに、プール水利用システム１００によれば、制御盤１４が屋上プール８の設置される屋上部から離れた場所、例えば、学校１０１の１階の管理室に設置されているため、管理人が遠隔で監視することができる。そして、当該管理人が、プール利用可能表示部６１やプール利用不可能表示部６２等といった各表示部を見ながら、開施錠操作部５７を操作することによって、屋上出入口扉１２の錠部１２０を、手動で強制的に開施錠するか、屋上プール８のプール水の水位に基づいて自動的に開施錠するかを選択することができる。
【００６８】
次に、プール水利用システム１０２について説明する。図６は、プール水利用システム１０２を示す図である。プール水利用システム１０２とプール水利用システム１００との相違点は、貯水槽４、揚水ポンプ５、高架水槽６の代わりに、減圧式逆流防止器２１と直結加圧型ポンプユニット２２が用いられている点であるが、その他の点は全く同じ構成である。したがって、プール水利用システム１０２によってもプール水利用システム１００と同様の効果を奏する。
【符号の説明】
【００６９】
１  水道本管、２  水道本管用バルブ、３  水道メータ、４  貯水槽、５  揚水ポンプ、６  高架水槽、７  屋内給水配管、８  屋上プール、９  プール用バルブ、１０  トイレ用水代替用配管、１１  水位検出器、１２  屋上出入口扉、１３  プール案内表示盤、１４  制御盤、２１  減圧式逆流防止器、２２  直結加圧型ポンプユニット、３１  水面、３２  渇水水位センサ、３３  遊泳下限水位センサ、３４  遊泳上限水位センサ、４１  プール利用可能表示部、４２  プール利用不可能表示部、４３  屋上扉開錠表示部、４４  屋上扉施錠表示部、４５  インターホン、５１  遊泳上限水位異常表示部、５２  遊泳下限水位異常表示部、５３  渇水水位表示部、５４  強制施錠表示部、５５  強制開錠表示部、５６  自動開施錠表示部、５７  開施錠操作部、５８  バッテリ、６１  プール利用可能表示部、６２  プール利用不可能表示部、６３  屋上扉開錠表示部、６４  屋上扉施錠表示部、６５  インターホン、１００，１０２  プール水利用システム、１０１  学校、１２０  錠部、１４２  水道本管用バルブ開閉処理部、１４４  揚水ポンプ作動処理部、１４６  プール用バルブ開閉処理部、１４８  開施錠処理部、１４９  表示処理部。
【図１】
2012067465.tif 000003
【図２】
2012067465.tif 000004
【図３】
2012067465.tif 000005
【図４】
2012067465.tif 000006
【図５】
2012067465.tif 000007
【図６】
2012067465.tif 000008